(57)【要約】      （修正有）【課題】制御基板を傷付けることなく安全に回収することができる遊技機用制御基板ケースを提供する。【解決手段】上方Ｈｕが開口したベース体３２とカバー体３３との開口同士を対向させて組み付けて構成し、制御基板３１を収容空間３４に収容する制御基板ケース３０であって、ベース体３２のベース側側壁部４７の内側にカバー体３３のカバー側側壁部５５が重合する態様でベース体３２とカバー体３３とを組み付けた状態を固着して保持する接着フランジ部を備え、ベース体３２とカバー体３３とを組み付けた状態において、ベース側側壁部４７とカバー側側壁部５５とが重合する重合部分におけるベース側側壁部４７に、上方Ｈｕから下方Ｈｄに向けて切り欠くとともに、切欠いた頂部を接着フランジ部よりも下方に形成した凹状の切り欠き部５１を備えた。【選択図】図４
2016052446.tif 000002
【特許請求の範囲】
【請求項１】
第１ケースと第２ケースとを組み付けて構成し、制御基板を内部スペースに収容する遊技機用制御基板ケースであって、
上記第１ケースと上記第２ケースとを、
上記内部スペースの側方を囲繞する側壁部と、該側壁部の高さ方向の一方を塞ぐ閉塞部とで、上記内部スペースを構成する内部スペース構成空間を内部に有するとともに、他方が開口する箱状に形成し、
上記開口同士が対向するとともに、上記第１ケースの上記側壁部の内側に上記第２ケースの上記側壁部が重合する態様で上記第１ケースと上記第２ケースとを組み付けた状態を固着して保持する固着保持部を備え、
上記第１ケースの上記開口を第１開口とするとともに、上記第１ケースの上記閉塞部を第１閉塞部とし、
上記組み付けた状態において、重合する第１ケースの上記側壁部を外側側壁部とするとともに、上記第２ケースの上記側壁部を内側側壁部として、
上記外側側壁部と上記内側側壁部とが重合する重合部分における上記外側側壁部に、上記第１開口から上記第１閉塞部に向けて切り欠くとともに、切欠いた端部が上記固着保持部を越える位置となるように形成した凹状の切り欠き部を備えた
遊技機用制御基板ケース。
【請求項２】
上記切り欠き部の上記固着保持部側に、上記端部に向けて上記固着保持部から徐々に離間する傾斜辺を形成した
請求項１に記載の遊技機用制御基板ケース。
【請求項３】
上記収容スペースにおける上記重合部分に対応する重合対応空間に、上記制御基板を配置した
請求項１または２に記載の遊技機用制御基板ケース。
【請求項４】
上記第２ケースに、上記制御基板を保持する基板保持手段を備えた
請求項３に記載の遊技機用制御基板ケース。
【請求項５】
上記内部スペースに上記制御基板を収容した請求項１から４のうちいずれか一項に記載の遊技機用制御基板ケースを備えた
遊技機。
【発明の詳細な説明】
【技術分野】
【０００１】
この発明は、例えば、内部の収容部に制御基板を保持する遊技機用制御基板ケースと、該遊技機用制御基板ケースを備えた遊技機に関する。
【背景技術】
【０００２】
例えば、スロットマシンなどの遊技機は、その制御に供するＲＯＭなどが配された制御基板をケースの内部に収容して、遊技機の内部に配設することが一般的である。  
このような制御基板を収容するケース（以下、遊技機用制御基板ケースと称する。）は、正規の制御基板と不正な制御基板とを取り換えたりすることなどの不正行為を防止するために、高い封止力が求められる。このような高い封止力を備えた遊技機用制御基板ケースとして、例えば、特許文献１に記載の基板ケースが提案されている。
【０００３】
特許文献１に記載の基板ケース（遊技機用制御基板ケース）は、それぞれ透明な合成樹脂によって形成されたベース部材とカバー部材（第１ケースと第２ケース）とを組み合わせて構成した略直方体の形状であり、内部に基板（制御基板）を収納可能な空間を有している。
【０００４】
また、この基板ケースは、ベース部材の対向する長辺に、長辺側の外周縁から外方に突出する平面視長方形状の板状の第１フランジを備え、カバー部材における、ベース部材の第１フランジと対応する位置に、第２フランジを備えている。
【０００５】
そして、これらベース部材とカバー部材とは、互いに組み付けた状態で、第１フランジと第２フランジとをねじ止めするとともに、第１フランジと第２フランジとの隙間に接着剤を流し込んで強固に固定できるとされている。
【０００６】
ところで、例えば、遊技機の制御基板は、各遊技機メーカーにスロットマシンごと回収され、新機種に応じた新たなプログラムを書き込んで再利用を図ることがあるが、特許文献１に記載の基板ケースは、第１フランジと第２フランジとが対向する面同士を上述するように強固に固定しているため、制御基板を回収することが困難であった。
【０００７】
具体的には、特許文献１に記載の基板ケースにおける第１フランジおよび第２フランジは、ケース本体側の端部まで接着剤で固定されているため（特許文献１の図６参照。）、第１フランジおよび第２フランジを切断しても、基板ケースの開封は困難である。
【０００８】
仮に、接着剤で固定されていない基板ケース本体を切断する場合であっても、基板ケースの内部に収容している制御基板に、基板ケースを切断する際に発生した基板ケースの破片が接触したり、切断に用いる工具が接触することで、制御基板が傷付き、制御基板を再利用する際に、正常に動作しないおそれがあった。
【先行技術文献】
【特許文献】
【０００９】
【特許文献１】特開２００６−０８７８０６号公報
【発明の概要】
【発明が解決しようとする課題】
【００１０】
本発明は、上記課題を鑑みて案出されたものであって、制御基板を傷付けることなく安全に回収することができる遊技機用制御基板ケースを提供することを目的とする。
【課題を解決するための手段】
【００１１】
請求項１に記載の発明は、第１ケースと第２ケースとを組み付けて構成し、制御基板を内部スペースに収容する遊技機用制御基板ケースであることを前提としている。その上で、上記第１ケースと上記第２ケースとを、上記内部スペースの側方を囲繞する側壁部と、該側壁部の高さ方向の一方を塞ぐ閉塞部とで、上記内部スペースを構成する内部スペース構成空間を内部に有するとともに、他方が開口する箱状に形成し、上記開口同士が対向するとともに、上記第１ケースの上記側壁部の内側に上記第２ケースの上記側壁部が重合する態様で上記第１ケースと上記第２ケースとを組み付けた状態を固着して保持する固着保持部を備え、上記第１ケースの上記開口を第１開口とするとともに、上記第１ケースの上記閉塞部を第１閉塞部とし、上記組み付けた状態において、重合する第１ケースの上記側壁部を外側側壁部とするとともに、上記第２ケースの上記側壁部を内側側壁部として、上記外側側壁部と上記内側側壁部とが重合する重合部分における上記外側側壁部に、上記第１開口から上記第１閉塞部に向けて切り欠くとともに、切欠いた端部が上記固着保持部を越える位置となるように形成した凹状の切り欠き部を備えたことを特徴としている。
【００１２】
したがって、少なくとも請求項１に記載の発明によれば、上記第１ケースと上記第２ケースとを組み付けた上記遊技機用制御基板ケースを分解して上記内部スペースから上記制御基板を回収する際は、上記外側側壁部と上記内側側壁部との重合部分における上記外側側壁部を上記切り欠き部から上記固着保持部側に向かって切断することで、上記第１ケースと上記第２ケースとが分離可能となる。この場合において、上記外側側壁部を切断する際に発生する破片や上記外側側壁部を切断する際に使用する工具が内部スペースに侵入することを上記内側側壁部が防止する。
【００１３】
また、上記切り欠き部から上記外側側壁部を切断した形跡を上記カバー体側から目視で確認することが容易となり、上記切り欠き部から不正に上記外側側壁部を切断された場合において、その不正の形跡を容易に発見するためには、請求項２に記載のように、上記切り欠き部の上記固着保持部側に、上記端部に向けて上記固着保持部から徐々に離間する上記傾斜辺を形成することが望ましい。
【００１４】
また、例えば、上記外側側壁部を切断した破片が粉状となり、上記外側側壁部と上記内側側壁部との間に侵入して、落下した場合であっても、当該粉状の破片が上記制御基板に接触することを未然に防止するためには、請求項３に記載のように、上記収容スペースにおける上記重合部分に対応する重合対応空間に、上記制御基板を配置することが望ましい。
【００１５】
この場合において、上記外側側壁部と上記内側側壁部との間に侵入した上記粉状の破片が、上記第１ケースと上記第２ケースとを分解する際に、上記制御基板に接触することを未然に防止するためには、請求項４に記載のように、上記第２ケースに、上記制御基板を保持する基板保持手段を備えることが望ましい。
【発明の効果】
【００１６】
請求項１に記載の発明によれば、上記制御基板を傷付けることなく安全に回収することができる。  
請求項２に記載の発明によれば、上記切り欠き部から不正に上記外側側壁部を切断された形跡を上記カバー体側から容易に発見できる。
【００１７】
請求項３及び請求項４に記載の発明によれば、より確実に上記制御基板を傷付けることなく安全に回収することができる。
【図面の簡単な説明】
【００１８】
【図１】スロットマシンを示す正面図である。
【図２】スロットマシンの前扉を開放した状態の斜視図である。
【図３】図２に示すサブ制御ユニット単体の斜視図である。
【図４】図３に示すサブ制御ユニットの分解斜視図である。
【図５】短手方向の中央部分を長手方向に沿って切断したサブ制御ユニットの分解断面図である。
【図６】一方の短辺側からみたサブ制御ユニットの側面図である。
【図７】カバー体と制御基板とを組み付ける様子を示す斜視図である。
【図８】制御基板を組み付けたカバー体とベース体とを組み付ける様子を示す斜視図である。
【図９】図３中に示す要部αにおいて、切断工具を用いてサブ制御ユニットを切断する様子を示す拡大斜視図である。
【図１０】ベース側側壁部を切断したサブ制御ユニットをベース体とカバー体とに分解する様子を示す断面図である。
【発明を実施するための形態】
【００１９】
この発明の一実施形態を、以下図面を用いて説明する。  
まず、スロットマシン１（特許請求の範囲の記載における遊技機に相当する）の構成について、図１および図２を用いて説明する。  
図１は、スロットマシン１の正面図を示し、図２は、スロットマシン１の前扉２０を開放した状態の斜視図を示している。
【００２０】
スロットマシン１は、図１に示すように、正面視略長方形の箱状体であって、図２に示すように、利用者と対面する面が開口した筐体本体１０と、該筐体本体１０の開口する面を開閉自在に塞ぐ前扉２０とから構成されている。
【００２１】
筐体本体１０の内部には、メイン制御ユニット１１、サブ制御ユニット１２、リールユニット１３、メダル払出装置１４、および電源制御装置１５などが備えられている。
【００２２】
メイン制御ユニット１１は、各種機器と電気的に接続されており、例えば、各種機器からの信号の入出力により、入賞などの抽選を行ったり、リールユニット１３の回転、停止を制御する機能を有している。
【００２３】
サブ制御ユニット１２は、メイン制御ユニット１１および各種機器と電気的に接続されており、例えば、メイン制御ユニット１１からの入力信号により、各種演出動作を決定して、液晶制御装置への制御信号を出力する機能を有している。
【００２４】
リールユニット１３は、電気的に接続されたメイン制御ユニット１１による制御によって独立して回転、停止する、複数の図柄がプリントされた３つのリール１３ａで構成されている。  
メダル払出装置１４は、遊技の進行に応じてメダルを貯留、排出する装置であり、溢れたメダルを貯留する補助タンク（図示省略）を備えている。  
電源制御装置１５は、外部から供給される電力を制御するとともに、上述した各部に電力を供給する装置である。
【００２５】
一方、前扉２０における利用者と対面する表面部分は、液晶モニタ２１、２つの上部スピーカー２２、表示窓２３、操作部２４、パネル部２５、２つの下部スピーカー２６、メダル排出口２７、および受け皿２８で構成しており、前扉２０の裏面部分には、メダルセレクター２９を配置している。
【００２６】
液晶モニタ２１は、液晶制御装置が電気的に接続したサブ制御ユニット１２からの制御信号に基づいて、遊技に応じた画面情報を出力する。  
上部スピーカー２２は、メイン制御ユニット１１から出力された音声信号を出力する。
【００２７】
表示窓２３は、筐体本体１０に備えたリールユニット１３の一部分やクレジット枚数の表示などを視認可能な透明部分（図示省略）と、入賞ラインなどをプリントした不透明部分（図示省略）とを一体にして構成されている。
【００２８】
操作部２４は、メイン制御ユニット１１と電気的に接続するとともに、メダル投入口２４ａ、ＭＡＸＢＥＴボタン２４ｂ、投入精算ボタン２４ｃ、スタートレバー２４ｄ、および３つのストップボタン２４ｅで構成されている。
【００２９】
メダル投入口２４ａは、利用者によるメダルの投入を受け付ける投入口であり、投入されたメダルをメダルセレクター２９に案内する。  
ＭＡＸＢＥＴボタン２４ｂは、一回の遊技におけるメダルの最大賭け数を、獲得したメダル枚数をデータとして蓄積しているクレジットからセットすることを所望する利用者の操作を受け付けるボタンである。
【００３０】
投入精算ボタン２４ｃは、利用者による押下操作によって、一回の遊技におけるメダルの賭け数を、クレジットから一枚ずつセットする投入ボタン（図示省略）と、クレジットに貯留されているメダルを精算して排出する精算ボタン（図示省略）とで構成されている。
【００３１】
スタートレバー２４ｄは、リールユニット１３を構成する３つのリール１３ａの回転開始を所望する利用者の操作を受け付けるレバーである。  
３つのストップボタン２４ｅは、リールユニット１３の３つのリール１３ａにそれぞれ対応しており、対応するリール１３ａの回転、停止を所望する利用者の操作を受け付けるボタンである。
【００３２】
パネル部２５は、スロットマシン１の機種名を示すイラストなどのパネルと、パネルを照明するバックライトなどで構成されている。  
下部スピーカー２６は、サブ制御ユニット１２から出力された音声信号を出力する。
【００３３】
メダル排出口２７は、前扉２０の裏面に配置したメダルセレクター２９やメダル払出装置１４から搬送されたメダルを受け皿２８に排出する排出口である。  
受け皿２８は、メダル排出口２７から排出されたメダルを貯留可能に構成されている。
【００３４】
メダルセレクター２９は、投入されたメダルを検出する機能と、メダルを選別する機能と、選別したメダルに応じて、メダル払出装置１４やメダル排出口２７に排出する機能とを有している。
【００３５】
このような構成のスロットマシン１は、利用者が一回の遊技における最大賭け数のメダルをメダル投入口２４ａに投入する、あるいはＭＡＸＢＥＴボタン２４ｂを押下操作して、一回の遊技におけるメダルの最大賭け数をクレジットからセットする。
【００３６】
そして、スロットマシン１は、利用者によるスタートレバー２４ｄの操作を検知すると、メイン制御ユニット１１が、入賞か否かの抽選を行い、この抽選結果をサブ制御ユニット１２に出力し、サブ制御ユニット１２が、抽選結果に基づいた各種演出を決定する。
【００３７】
その後、スロットマシン１は、メイン制御ユニット１１が３つのリール１３ａの回転を開始させるとともに、サブ制御ユニット１２が各種演出をモニタ２１に出力し、利用者が３つのストップボタン２４ｅを任意のタイミング、あるいは各種演出で指定された順番で押下することで、ストップボタン２４ｅに対応したリール１３ａが停止する。
【００３８】
リール１３ａにプリントされた図柄が揃えば、図柄に応じてメダルがクレジットに貯留される、あるいはメダル排出口２７から排出される。このようにして、利用者は、スロットマシン１における遊技を楽しむ。
【００３９】
なお、サブ制御ユニット１２は、メイン制御ユニット１１から送られた抽選結果に基づいて遊技が利用者にとって有利となる情報を提供する状態、いわゆる、ＡＴ（アシストタイム）に移行するか否かの抽選を行い、この抽選に当選すると、例えば、３つのストップボタン２４ｅを押下する順番をモニタ２１に表示する。そして、利用者がこの順番通りにストップボタン２４ｅを押下するとリール１３ａにプリントされた図柄が揃うことになる。
【００４０】
続いて、サブ制御ユニット１２の構成について、図３から図６を用いて説明する。  
図３は、図２に示したサブ制御ユニット１２単体の斜視図であり、図４は、図３に示すサブ制御ユニット１２の分解斜視図である。図５は、短手方向Ｙの中央部分を長手方向Ｘに沿って切断したサブ制御ユニット１２の分解断面図であり、図６は、一方の短辺側からみたサブ制御ユニット１２の側面図である。
【００４１】
サブ制御ユニット１２は、図３，図４に示すように、平面視長方形の箱状に構成した制御基板ケース３０（特許請求の範囲の記載における遊技機用制御基板ケースに相当する）と、制御基板３１とから構成されている。
【００４２】
制御基板ケース３０は、ベース体３２（特許請求の範囲の記載における第１ケースに相当する）と、カバー体３３（特許請求の範囲の記載における第２ケースに相当する）とを上下方向に組み付けて構成される。
【００４３】
また、制御基板ケース３０は、その内部に制御基板３１を収容する収容空間３４（特許請求の範囲の記載における内部スペースに相当する）を有し、ベース体３２とカバー体３３は、制御基板ケース３０に設けられた接着フランジ部３５（特許請求の範囲の記載における固着保持部に相当する）によって強固に接着固定されている。
【００４４】
なお、本実施形態において、ベース体３２およびカバー体３３は、ＰＣ（ポリカーボネート）を射出成形して形成されているが、これに限定されず、例えば、ＡＢＳ（アクリロニトリル、ブタジエン、スチレン）等に代表される透明な熱可塑性合成樹脂系材料で構成してもよいし、例えば、光を透過する有色透明や半透明、または不透明などの合成樹脂系材料で構成してもよい。
【００４５】
ここで、平面視長方形の制御基板ケース３０において、ベース体３２とカバー体３３とを組み付ける方向を上下方向Ｈ（特許請求の範囲の記載における高さ方向に相当する）とし、該上下方向Ｈにおいて、ベース体３２側を下方Ｈｄとし、カバー体３３側を上方Ｈｕとする。  
なお、図３および図４において、手前に位置する長辺側と短辺側を一方とし、奥に位置する長辺側と短辺側を他方とする。
【００４６】
制御基板３１は、図４に示すように、平面視略長方形に形成されたプリント基板であり、ＣＰＵ３６が配置された板状の第１基板３７と、この第１基板３７よりも小さく形成されるとともにＲＯＭ３８やＲＡＭ３９が配置された第２基板４０と、から構成されている。  
なお、第２基板４０は、四隅に備えた支柱４１によって、この第１基板３７の略中央上側に、第１基板３７と離間した状態で固定されている。
【００４７】
ＲＡＭ３９は、メイン制御ユニット１１から送られた抽選結果を一時的に記憶するものであり、ＲＯＭ３８は、上記ＡＴ抽選の抽選データやこのＡＴ抽選に用いられるプログラム等を格納したものである。  
ＣＰＵ３６は、ＲＡＭ３９やＲＯＭ３８の情報に応じた処理を行うものである。
【００４８】
接着フランジ部３５は、図３に示すように、制御基板ケース３０における一方の短辺と、他方の長辺と、他方の短辺とのそれぞれに１つずつ形成されている。  
また、この接着フランジ部３５は、図４，図５に示すように、ベースフランジ４２とカバーフランジ４３とを接着剤（図示外）で接着して構成している。これらベースフランジ４２およびカバーフランジ４３の詳細については後に説明をする。
【００４９】
なお、接着フランジ部３５は、上述のように、制御基板ケース３０に複数形成されているが、それぞれ同様の構造となっているため、本実施形態においては、上記一方の短辺に形成された接着フランジ部３５についてのみ説明し、他の部位に形成された接着フランジ部３５については同一の符号を付すことで詳細な説明を省略する。
【００５０】
ベース体３２は、図４に示すように、制御基板３１を収容する収容構成部４５と、後述のカバーフランジ４３とともに接着フランジ部３５を構成するベースフランジ４２と、から大略構成されており、全体として上方Ｈｕが開放した箱状に形成されている。なお、図中の符号４４は、サブ制御ユニット１２をスロットマシン１の筐体本体１０に固定するための固定部である。
【００５１】
収容構成部４５は、平面視長方形状の底板４６（特許請求の範囲の記載における閉塞部および第１閉塞部に相当する）と、この底板４６の外周縁から上方Ｈｕに突出したベース側側壁部４７（特許請求の範囲の記載における第１ケース側の側壁部および外側側壁部に相当する）と、から構成されており、上方Ｈｕが開口する箱状に形成している。
【００５２】
底板４６は、サブ制御ユニット１２内の温度が上昇しないように換気可能に形成された複数の貫通孔４８と、該複数の貫通孔４８をまとめて囲む内部壁４９と、制御基板３１を下方Ｈｄから支持するリブ５０とを備えている。
【００５３】
ベース側側壁部４７は、底板４６の長手方向Ｘおよび短手方向Ｙに沿って連続することにより平面視四角枠状を呈しており、ベース体３２とカバー体３３との組み付け状態において、後述する天板５４と略一致する位置まで底板４６から突出している。
【００５４】
これら底板４６及びベース側側壁部４７は、内部に収容スペース構成空間３４ａ（特許請求の範囲の記載における内部スペース構成空間に相当する）を形成しており、この収容スペース構成空間３４ａは、ベース体３２とカバー体３３が組み合わさることで、後述するカバー体３３側の収容スペース構成空間３４ｂとともに収容空間３４を構成する。
【００５５】
また、ベース側側壁部４７の上端から外側（反収容スペース構成空間３４ａ側）に向けてベースフランジ４２が突出形成されるとともに、ベース側側壁部４７の上端から下端に向けてサブ制御ユニット１２の解体時に工具当て部として機能する切り欠き部５１が形成されている。
【００５６】
ベースフランジ４２は、図４，図５に示すように、上方Ｈｕが開口した箱状に形成されており、後述するカバーフランジ４３との接着を許容するとともに、接着剤の貯留を許容し、カバーフランジ４３とともに接着フランジ部３５を構成する。
【００５７】
切り欠き部５１は、図６に示すように、上方Ｈｕから下方Ｈｄに向けて徐々に狭まるような略三角形状に形成されている。  
詳述すると、切り欠き部５１は、上方Ｈｕから下方Ｈｄに向けて徐々にベースフランジ４２から離間する傾斜辺５１ａと、ベース側側壁部４７の外縁からほぼ直角に下方Ｈｄに向けて延びる鉛直辺５１ｂとで下向きの略直角三角形状に形成されており、ベースフランジ４２に近い方の辺が傾斜辺５１ａとなっている。
【００５８】
さらに、切り欠き部５１の頂部５１ｃ（特許請求の範囲の記載における端部に相当する）は、ベースフランジ４２よりも下方Ｈｄに位置しているとともに、カバー側側壁部５５の下端よりも上方Ｈｕに位置している。つまり、切り欠き部５１は、ベース側側壁部４７における、カバー側側壁部５５と重なる重合部分Ｊに形成されている。
【００５９】
カバー体３３は、図４に示すように、制御基板３１を収容する収容構成部５２と、ベースフランジ４２とともに接着フランジ部３５を構成するカバーフランジ４３と、から大略構成されており、全体として下方Ｈｄが開放した箱状に形成されている。なお、図中の符号５３は、固定部４４を封止する固定蓋部である。
【００６０】
収容構成部５２は、平面視長方形状の天板５４（特許請求の範囲の記載における閉塞部に相当する）と、この天板５４の外周縁から下方Ｈｄにほぼ垂直に突出したカバー側側壁部５５（特許請求の範囲の記載における第２ケース側の側壁部および内側側壁部に相当する）と、から構成されている。
【００６１】
天板５４は、底板４６における貫通孔４８と制御基板３１を挟んで対向する位置に複数の通気口５６と、天板５４から下方Ｈｄに向けて突出する略円柱状の基板固定部５７（特許請求の範囲の記載における基板保持手段に相当する）とを備えており、底板４６における内部壁４９と制御基板３１を挟んで対向する位置に不正器具侵入防止壁（図示外）を備えている。
【００６２】
基板固定部５７は、図示外のネジと螺合することで制御基板３１を固定する凸状の固定先端部５７ａを備えている（図７における要部φの拡大図参照）。  
この基板固定部５７は、固定先端部５７ａがカバー側側壁部５５の下端よりもやや上方Ｈｕとなるように形成されているため、固定先端部５７ａに固定される制御基板３１は、図６に示すように、下面がカバー側側壁部５５の下端と略一致するように固定される。
【００６３】
なお、制御基板３１の下面がカバー側側壁部５５の下端と略一致する高さに基板固定部５７を形成することだけに限らず、制御基板３１の最下端部つまり下面が、重合対応空間３４ｊの下端よりも上方Ｈｕとなり、制御基板３１の最上端部が、重合対応空間３４ｊの上端よりも下方Ｈｄとなる位置に制御基板３１を配置する高さに形成すればよく、ＲＯＭ３８、ＲＡＭ３９及びＣＰＵ３６を含む制御基板３１を所望する位置に保持することができれば、上記基板固定部５７のような構成に限ることなく、例えば、上下方向Ｈから制御基板３１を挟持する構成であってもよい。
【００６４】
カバー側側壁部５５は、天板５４の長手方向Ｘおよび短手方向Ｙに沿って連続することにより平面視四角枠状を呈しており、このカバー側側壁部５５と天板５４とで囲むように収容スペース構成空間３４ｂ（特許請求の範囲の記載における内部スペース構成空間に相当する）が形成されている。なお、この収容スペース構成空間３４ｂは、ベース体３２とカバー体３３が組み合わさることでカバー体３３側の収容スペース構成空間３４ａとともに、収容空間３４を構成する。
【００６５】
なお、上述のように、ベース体３２とカバー体３３との組み付け状態において、ベース側側壁部４７は、カバー体３３の天板５４と略一致する位置まで底板４６から突出しているため、カバー側側壁部５５は、全体がベース側側壁部４７と重合する重合部分Ｊとなる。したがって、カバー体３２における収容スペース構成空間３４ｂは、収容空間３４における重合部分Ｊに対応する重合対応空間３４ｊとなる（図５及び図７参照）。
【００６６】
そして、カバー側側壁部５５の上端から外側に向けてカバーフランジ４３が突出形成されている。なお、ベース体３２とカバー体３３との組み付け状態において、カバー側側壁部５５は、ベース側側壁部４７の内側に重なるように配置されるとともに、ベース体３２の底板４６に形成したリブ５０の上面に当接することとなる（図６参照）。つまり、下面がカバー側側壁部５５の下端と略一致するように固定されている制御基板３１は、リブ５０の高さ分、底板４６から上方Ｈｕに離間している。
【００６７】
カバーフランジ４３は、ベースフランジ４２と上下方向Ｈに重なり合うように組み付けられ、ベースフランジ４２に貯留した接着剤によって、ベースフランジ４２と接着固定されることで接着フランジ部３５を構成する。
【００６８】
以下、ベース体３２とカバー体３３の組み付け工程および切断工程について、図７から図９を用いて説明する。  
図７は、カバー体３３と制御基板３１とを組み付ける様子を示す斜視図であり、図８は、制御基板３１を組み付けたカバー体３３とベース体３２とを組み付ける様子を示す斜視図であり、図９は、図３中に示す要部αにおいて、切断工具５８を用いてサブ制御ユニット１２を切断する様子を示す拡大斜視図であり、図１０は、ベース側側壁部４７を切断したサブ制御ユニット１２をベース体３２とカバー体３３とに分解する様子を示す断面図である。
【００６９】
まず、組み付け工程において、制御基板３１を、図７に示すように、図示外のネジを用いてカバー体３３における基板固定部５７の固定先端部５７ａに組み付ける。  
このとき、基板固定部５７は、上述のように、固定先端部５７ａがカバー側側壁部５５の下端よりもやや上方Ｈｕとなるように形成されているため、図６に示すように、制御基板３１の下面が、カバー側側壁部５５の下端と略一致している。つまり、ＲＯＭ３８、ＲＡＭ３９及びＣＰＵ３６を含む制御基板３１は重合対応空間３４ｊ内に固定されている。  
そして、ベースフランジ４２に接着剤を貯留したベース体３２は、図８に示すように、カバー体３３と組み付けられる。
【００７０】
ベース体３２とカバー体３３との組み付け状態において、ベースフランジ４２とカバーフランジ４３とは、接着剤で接着することで接着フランジ部３５を構成し、ベース体３２とカバー体３３とを強固に接着固定する（図３参照）。
【００７１】
次に、ベース体３２とカバー体３３の分解工程について図９を用いて説明する。  
まず、サブ制御ユニット１２を図示外の治具を用いて固定する。  
そして、ベース体３２のベース側側壁部４７を、図９に示すように、回転盤が装着された切断工具５８を用いて、切り欠き部５１の傾斜辺５１ａから接着フランジ部３５の下方Ｈｄにおける重合部分Ｊに対応するベース側側壁部４７を、接着フランジ部３５の長手方向に沿って直線的に切断していく。
【００７２】
この場合において、切断工具５８と収容空間３４との間には、カバー側側壁部５５が介在することから、切断工具５８や、切断されたベース側側壁部４７の破片が収容空間３４内に侵入することを防止する。
【００７３】
切断工具５８によってベース側側壁部４７を切断されたサブ制御ユニット１２は、ベースフランジ４２を切り離されたベース体３２と、切り離されたベースフランジ４２を有するカバー体３３とに分離し、カバー体３２は、図１０に示すように、ベース体３２から上方Ｈｕに持ち上げられるようにベース体３２と分解される。  
このとき、制御基板３１は、基板固定部５７によってカバー体３３に固定されているため、制御基板３１は、カバー体３３とともにベース体３２から離間する。
【００７４】
以上のように説明した本実施形態にあっては、以下の効果を得られる。  
（１）切り欠き部５１の頂部５１ｃ（端部）は、ベース側側壁部４７（外側側壁部）とカバー側側壁部５５（内側側壁部）との重合部分Ｊにおいて、接着フランジ部３５（固着保持部）よりも下方Ｈｄに位置しているため、ベース体３２とカバー体３３との分解工程において、先に述べたように、接着フランジ部３５よりも下方Ｈｄにおける切り欠き部５１から接着フランジ部３５の下方Ｈｄにおけるベース側側壁部４７を、接着フランジ部３５の長手方向に沿って直線的に切断することが可能となる。
【００７５】
これにより、ベース側側壁部４７の内側に重合するカバー側側壁部５５は、ベース体３２のベース側側壁部４７を切断する際に、収容空間３４の内部に切断工具５８や切断した破片が侵入して制御基板３１に接触することを防止し、制御基板３１をカバー体３３から回収する際に、回収する制御基板３１が切断部分に接触することを防止するため、収容空間３４に収容した制御基板３１を傷付けることなく安全に回収することができる。
【００７６】
（２）切り欠き部５１は、ベースフランジ４２に近い方の辺に、上方Ｈｕから下方Ｈｄに向けて徐々にベースフランジ４２から離間する傾斜辺５１ａを備えているため、仮に、切り欠き部５１からベース側側壁部４７を不正に切断されても、切り欠き部５１から不正にベース側側壁部４７を切断した形跡を、ベース体３２の上方Ｈｕから容易に発見することができる。
【００７７】
詳述すると、サブ制御ユニット１２は、ベース体３２の固定部を筐体本体１０に固定するため、ベース側側壁部４７を不正に切断されていないかを確認する際は、サブ制御ユニット１２の上方Ｈｕであるカバー体３３側から切り欠き部５１を目視することとなる。
【００７８】
このとき、図９の要部γに示すように、傾斜辺５１ａの全体を、図中の矢印方向、つまり、サブ制御ユニット１２の上方Ｈｕから目視すると、仮に、切り欠き部５１の傾斜辺５１ａからベース側側壁部４７を不正に切断されていても、鉛直辺では気付き難い不正に切断された形跡を、傾斜辺５１ａでは目視で容易に発見することができる。
【００７９】
さらに、接着フランジ部３５側の切り欠き部５１に傾斜辺５１ａを備えたことにより、傾斜辺５１ａは切断方向に対して傾斜するため、切断工具５８がベース側側壁部４７を切断する力Ｆは、図６の要部βに示すように、傾斜辺５１ａに沿う力Ｆ１と傾斜辺５１ａに直交する力Ｆ２とに分散され、ベース側側壁部４７を切断する工具が傾斜辺５１ａに沿って滑り易くなり、不正にベース側側壁部４７が切断されることの防止効果も期待できる。
【００８０】
（３）制御基板３１を、重合対応空間３４ｊに固定しているため、制御基板３１は、カバー側側壁部５５の下端よりも上方Ｈｕに固定されることとなる。  
したがって、上記（３）の構成によれば、仮に、ベース側側壁部４７を切断した破片が粉状となり、重合部分Ｊにおけるベース側側壁部４７とカバー側側壁部５５との間に侵入して、ベース体３２に落下した場合であっても、粉状の破片が制御基板３１に接触することをカバー側側壁部５５が防止し、より確実に制御基板３１を傷付けることなく安全に回収することができる。
【００８１】
（４）カバー体３３に基板固定部５７を備えているため、制御基板３１は、重合対応空間３４ｊにおいて、カバー体３３に固定されることとなる。  
したがって、上記（４）の構成によれば、仮に、ベース側側壁部４７とカバー側側壁部５５との間に侵入した粉状の破片がベース体３２における底板４６に堆積しても、ベース体３２からカバー体３３を分解する際に、底板４６に堆積した粉状の破片が制御基板３１に接触することを防止し、より確実に制御基板３１を傷付けることなく安全に回収することができる。
【００８２】
さらには、ベース体３２からカバー体３３を分解する際に、底板４６に堆積した粉状の破片が巻き上げられても、制御基板３１の上面に付着することを防止することができる。
【符号の説明】
【００８３】
３０…制御基板ケース（遊技機用制御基板ケース）
３１…制御基板
３２…ベース体
３３…カバー体
３４…収容空間（内部スペース）
３４ａ，３４ｂ…収容スペース構成空間（内部スペース構成空間）
３４ｊ…重合対応空間
３５…溶着フランジ部（固着保持部）
４６…底板（閉塞部、第１閉塞部）
４７…ベース側側壁部（外側側壁部）
５１…切り欠き部
５１ａ…傾斜辺
５１ｂ…鉛直辺
５１ｃ…頂部（端部）
５４…天板（閉塞部）
５５…カバー側側壁部（内側側壁部）
５７…基板固定部（基板保持手段）
Ｊ…重合部分
Ｈ…上下方向（高さ方向）
Ｈｕ…上方
Ｈｄ…下方
【図１】
2016052446.tif 000003
【図２】
2016052446.tif 000004
【図３】
2016052446.tif 000005
【図４】
2016052446.tif 000006
【図５】
2016052446.tif 000007
【図６】
2016052446.tif 000008
【図７】
2016052446.tif 000009
【図８】
2016052446.tif 000010
【図９】
2016052446.tif 000011
【図１０】
2016052446.tif 000012